(57)【特許請求の範囲】
【請求項１】
電源装置と電気部品とを接続する駆動系ラインと制御系ラインを内部でガイドするガイド部から成る配線構造を備えた画像形成装置において、
用紙を給紙口から排出口に向けて搬送する搬送ガイドの裏面に前記ガイド部を一体的に設け、
該ガイド部に、前記駆動系ラインと前記制御系ラインとを隔てて分離するリブ状の分離壁を長手方向に沿って一体に形成するとともに、該分離壁によって仕切られた複数のガイド溝を長手方向に形成し、
各ガイド溝の幅を、互いに逆方向に形成された凸部によって部分的に狭くし、各ガイド溝の幅の狭い部分で前記駆動系ラインと前記制御系ラインをそれぞれ挟持し、その挟持部分に嵌入されたスポンジによって前記駆動系ラインと前記制御系ラインをそれぞれ固定したことを特徴とする画像形成装置。
【発明の詳細な説明】
【技術分野】
【０００１】
本発明は、電源装置と電気部品とを接続する駆動系ラインと制御系ラインを内部でガイドするガイド部から成る配線構造を備えた画像形成装置に関するものである。
【背景技術】
【０００２】
電子写真方式を採用する複写機等の画像形成装置においては，装置本体や該装置本体の上部に設置された自動原稿搬送装置にセンサ、モータ、クラッチ、ソレノイド等の各種電気部品が使用されており、モータやクラッチ、ソレノイド等の電気部品には駆動系ラインから電源が供給されるとともに、センサ等の電気部品からの信号は制御系ラインを経て送信される。
【０００３】
例えば、特許文献１には、固定部側の電装基板と移動部側の電装基板とを接続するハーネスを複数のハーネス収納部に収納し、前記固定部側及び前記移動部側の前記ハーネス収納部をそれぞれ前記固定部及び前記移動部と回転可能又は回転不能に取り付け、前記複数のハーネス収納部と、前記ハーネス収納部同士を伸縮自在に連結する連結部とを一体に形成する構成が提案されている。
【０００４】
特許文献２には、スキャナ部とプリンタ部と画像処理部を有し、画像処理部はプリンタ部の天板上に位置し、スキャナ部とプリンタ部はヒンジ構造で開閉可能な構成を有する画像形成装置において、スキャナ部、プリンタ部、画像処理部を接続するワイヤーハーネスを、凹部の形状の導電性弾性部材の凹部に固定する構成が提案されている。
【０００５】
特許文献３には、一次側のコンパレータのスレッシュホールド電圧（ＰＷＭ）をＣＰＵ→フォトカプラ→積分器を介して与え、その値をふり、サーミスタ検出電圧と比較させて更にフォトカプラを介してＣＰＵのポートに入力し、その変化した時のＰＷＭ値を読むことで温度を検出する提案がなされている。
【０００６】
特許文献４には、電圧ケーブルを用いることなく負荷に高電圧を供給可能とするとともに、電圧ケーブルを用いることによる種々の問題を解消するため、高電圧発生装置を高電圧発生部と制御回路部とに分離し、両者間の各種信号及び電源ラインをフラットケーブルに接続し、高電圧発生部の出力電圧又は出力電流の検出信号の伝送ラインに近接して設置ラインを設ける構成が提案されている。
【０００７】
特許文献５には、電源回路によってＤＣ電圧を画像形成手段に供給して画像を形成する画像形成装置の小型化と低コスト化及び放射ノイズの影響の低減を目的として、前記電源回路に、ＡＣ電源に接続された一次側ＡＣ電源部と、二次側電源トランスを備えた二次側ＤＣ電源部とを設け、前記一次側ＡＣ電源部と前記二次側ＤＣ電源部との間に、グランド電位に接続された放射ノイズ遮蔽部材を配置する構成が提案されている。
【特許文献１】特許第３４４１９６５号公報
【特許文献２】特開平９−３２１９２５号公報
【特許文献３】特開２００２−３５１２５３号公報
【特許文献４】特開平５−１０７８７８号公報
【特許文献５】特開２００７−２３２７６８号公報
【発明の開示】
【発明が解決しようとする課題】
【０００８】
ところが、従来技術には、電源装置と電気部品とを接続する駆動系ラインと制御系ラインとを互いに分離して配置する構成は存在しない。
【０００９】
実際、クラッチのＯＮ／ＯＦＦ時の電圧変化が磁界の変化を誘起し、クラッチに隣接する制御系ラインに何らかの電圧変動を与えることは知られている。駆動系ラインと制御系ラインとの間の距離や電圧変化の大きさによっては、制御系ラインを送信される信号が影響を受け、センサの誤検知等の問題が発生する可能性がある。
【００１０】
本発明は上記問題に鑑みてなされたもので、その目的とする処は、制御系ラインを送信される信号が駆動系ラインの電圧変化の影響を受けることがなく、センサ等の誤検知を防いで電気部品の常に安定した動作を可能とする画像形成装置を提供することにある。
【課題を解決するための手段】
【００１１】
上記目的を達成するため、本発明は、電源装置と電気部品とを接続する駆動系ラインと制御系ラインを内部でガイドするガイド部から成る配線構造を備えた画像形成装置において、
用紙を給紙口から排出口に向けて搬送する搬送ガイドの裏面に前記ガイド部を一体的に設け、
該ガイド部に、前記駆動系ラインと前記制御系ラインとを隔てて分離するリブ状の分離壁を長手方向に沿って一体に形成するとともに、該分離壁によって仕切られた複数のガイド溝を長手方向に形成し、
各ガイド溝の幅を、互いに逆方向に形成された凸部によって部分的に狭くし、各ガイド溝の幅の狭い部分で前記駆動系ラインと前記制御系ラインをそれぞれ挟持し、その挟持部分に嵌入されたスポンジによって前記駆動系ラインと前記制御系ラインをそれぞれ固定したことを特徴とする。
【発明の効果】
【００１４】
本発明によれば、駆動系ラインと制御系ラインとを分離壁を隔てて分離したため、制御系ラインを送信される信号が駆動系ラインの電圧変化の影響を受けることがなく、センサ等の誤検知が防がれて電気部品の常に安定した動作が可能となる。
【００１５】
又、本発明によれば、駆動系ラインと制御系ラインとを隔てる分離壁を備えたガイド部を搬送ガイドの裏面に一体的に設けたため、余分な部品を要することなく、既存の部品を用いて簡単な構成で駆動系ラインと制御系ラインとを分離することができる。
【００１６】
更に、本発明によれば、ガイド部に形成されたガイド溝の幅の狭い部分で駆動系ラインと制御系ラインを挟持すととるもに、その挟持部分に嵌入されたスポンジによって駆動系ラインと制御系ラインをそれぞれ固定したため、駆動系ラインと制御系ラインを互いに隔てて分離した状態で確実に固定することができる。
【発明を実施するための最良の形態】
【００１７】
以下に本発明の実施の形態を添付図面に基づいて説明する。
【００１８】
図１は本発明に係る画像形成装置の外観斜視図であり、図示の画像形成装置１は、コピー機能とファックス機能及びプリンタ機能を兼備した複合機であって、その画像形成装置本体２の上部には自動原稿搬送装置３が設置され、画像形成装置本体２の上部には原稿読取装置４が配置され、その前側には操作表示部５が設けられている。又、画像形成装置本体２の内部には不図示のプリント部が収容されており、同画像形成装置本体２の左側面上部には排紙トレイ６が配され、前面には用紙を収容した上下４段の給紙カセット７ａ〜７ｄが前面側に引き出し可能に設けられている。
【００１９】
而して、上記のように構成された画像形成装置１において自動原稿搬送装置３の原稿トレイ８上に積載された原稿Ｐを自動で連続的に読み取る場合には、原稿Ｐは、画像形成装置本体２の上面に設けられたプラテンガラス等の不図示の原稿載置部へと１枚ずつ送り込まれ、その画像が原稿読取装置４によって読み取られた後、排紙トレイ９上へと排出される。
【００２０】
又、原稿Ｐを１枚ずつ手動で読み取る場合には、自動原稿搬送装置３を後端部を中心として上方へ回動させて原稿載置部を開き、原稿Ｐを原稿載置部に載置した後に自動原稿搬送装置３を後端部を中心として下方へ回動させて原稿載置部を閉じ、操作表示部５をキー操作して原稿Ｐの画像を原稿読取装置４によって読み取る。
【００２１】
上述のようにして原稿Ｐの画像が原稿読取装置４によって読み取られると、画像形成装置本体２内のプリント部は、読み取られた画像データに基づいてトナー画像を形成し、給紙カセット７ａ〜７ｄの何れかから送り出された用紙にトナー画像を転写する。そして、用紙上に転写されたトナー画像は不図示の定着装置によって加熱及び加圧されて用紙上に定着され、トナー画像が定着された用紙は排紙トレイ６へと排出されて一連の画像形成動作が終了する。尚、以上は画像形成装置１が複写機として機能する場合の動作について説明したが、プリント部がパソコンやファクシミリ装置から送信されてくる画像データに基づいて用紙上に画像を形成することよって画像形成装置１はプリンタ機能及びファクシミリ機能を果たすこともできる。
【００２２】
ここで、自動原稿搬送装置３の詳細を図２〜図５に基づいて説明する。
【００２３】
図２は自動原稿搬送装置を前方斜め上方から見た斜視図、図３は同自動原稿搬送装置の搬送カバーを外して後方斜め上方から見た部分斜視図、図４は図３の拡大詳細図、図５は搬送ガイドの部分斜視図である。
【００２４】
図２に示す自動原稿搬送装置３は、原稿トレイ８上に積載された原稿Ｐを画像形成装置本体２上の原稿載置部に１枚ずつ自動搬送するものであって、図１に示す画像形成装置本体２の上部に取り付けられる装置本体１０と、この装置本体１０の上部に取り付けられた前記原稿トレイ８と、この原稿トレイ８の下方に形成された前記排紙トレイ９を備えている。ここで、原稿トレイ８は、前側板１１と後側板１２との間に配置されており、これには原稿Ｐの通紙幅方向（原稿Ｐの送り出し方向に直交する方向）を規制するための左右一対の幅規制板１３がスライド可能に設けられている。
【００２５】
又、自動原稿搬送装置３においては、原稿トレイ８の左側（原稿Ｐの送り出し方向）には原稿給紙部が設けられており、この原稿給紙部には各種ローラや搬送路が設けられ、これらは開閉可能な搬送カバー１４によって覆われている。
【００２６】
ところで、自動原稿搬送装置３は、その後端部が左右一対の不図示のヒンジによって画像形成装置本体２の上部に上下回動可能に連結されており、前述のように原稿Ｐを手動で読み取る場合には、該自動原稿搬送装置３をヒンジを中心として上方へ回動させて原稿載置部を開き、原稿Ｐを原稿載置部に載置した後に自動原稿搬送装置３をヒンジを中心として下方へ回動させて原稿載置部を閉じる。
【００２７】
而して、図３及び図４に示すように、搬送カバー１４で覆われた原稿給紙部の前側端部には電気部品であるソレノイド１５とＰＩセンサ１６が配置されており、ソレノイド１５には図４において破線にて示す駆動系ライン１７が接続され、ＰＩセンサ１６には図４において実線にて示す制御系ライン１８が接続されている。
【００２８】
上記駆動系ライン１７はソレノイド１５に電源を供給するラインであり、制御系ライン１８はＰＩセンサ１６からの検知信号を不図示のコントローラ等に送信するラインである。これらの駆動系ライン１７と制御系ライン１８は、用紙を給紙口から排出口に向けて搬送する搬送ガイド１９の長手方向（原稿Ｐの搬送方向に直交する方向）に沿って配索されており、搬送ガイド１９の裏面に長手方向に一体に形成されたリブ状の分離壁１９ａによって所定距離（制御系ライン１８を送信される検知信号が駆動系ライン１７を経て供給される電源の電圧変化の影響を受けない距離）だけ隔てて分離されている。尚、分離壁１９ａは、駆動系ライン１７と制御系ライン１８をガイドするガイド部の一部に形成されている。
ここで、搬送ガイド１９のガイド部には、図５に示すように分離壁１９ａによって仕切られたガイド溝２０，２１が長手方向に形成されており、これらのガイド溝２０，２１の一部は、分離壁１９ａの長手方向３箇所に形成された互いに逆方向の凸部１９ａ１，１９ａ２によって幅が狭くなっており、その幅の狭くなった部分によって駆動系ライン１７と制御系ライン１８が互いに隔てて分離された状態でそれぞれ挟持されている。尚、図示しないが、駆動系ライン１７と制御系ライン１８の挟持部分は、その部分に嵌入されたスポンジによって確実に固定されている。
【００２９】
以上のように、本実施の形態では、駆動系ライン１７と制御系ライン１８とを搬送ガイド１９に形成された分離壁１９ａで隔てて分離したため、制御系ライン１８を送信される検知信号が駆動系ライン１７の電圧変化の影響を受けることがなく、ＰＩセンサ１６の誤検知が防がれて電気部品の常に安定した動作が可能となる。
【００３０】
又、本実施の形態では、駆動系ライン１７と制御系ライン１８とを隔てる分離壁１９ａを備えたガイド部を搬送ガイド１９の裏面に一体的に設けたため、余分な部品を要することなく、既存の部品を用いて簡単な構成で駆動系ライン１７と制御系ライン１８とを分離することができる。
【００３１】
更に、本実施の形態では、搬送ガイド１９のガイド部に形成されたガイド溝２０，２１の幅の狭い部分で駆動系ライン１７と制御系ライン１８をそれぞれ挟持したため、駆動系ライン１７と制御系ライン１８を互いに隔てて分離した状態で確実に固定することができる。
【００３２】
尚、以上は本発明を特に静電複写方式を採用する複合機に適用した形態について説明したが、プリンタ、複写機、ファクシミリ装置単体、或いはインクジェット方式を採用する画像形成装置に対しても同様に適用可能であることは勿論である。又、以上は自動原稿搬送装置に設けられたソレノイドに電源を供給する駆動系ラインとＰＩセンサからの検知信号を送信する制御系ラインの配索について説明したが、他の任意の電気部品に電源を供給する駆動系ラインと電気部品から送信される信号を送信する制御系ラインの配索も同様に壁を隔てて分離することによっても前記と同様の効果が得られる。
【図面の簡単な説明】
【００３３】
【図１】本発明に係る画像形成装置の外観斜視図である。
【図２】自動原稿搬送装置を前方斜め上方から見た斜視図である。
【図３】自動原稿搬送装置の搬送カバーを外して後方斜め上方から見た部分斜視図である。
【図４】図３の拡大詳細図である。
【図５】搬送ガイドの部分斜視図である。
【符号の説明】
【００３４】
１          画像形成装置
２          画像形成装置本体
３          自動原稿搬送装置
４          原稿読取装置
５          操作表示部
６          排紙トレイ
７ａ〜７ｄ  給紙カセット
８          原稿トレイ
９          排紙トレイ
１０        自動原稿搬送装置本体
１１        前側板
１２        後側板
１３        幅規制板
１４        搬送カバー
１５        ソレノイド（電気部品）
１６        ＰＩセンサ（電気部品）
１７        駆動系ライン
１８        制御系ライン
１９        搬送ガイド
１９ａ      搬送ガイドの分離壁
１９ａ１    分離壁の凸部
１９ａ２    分離壁の凸部
２０，２１  ガイド溝
Ｐ          原稿
【図１】
0005044484.tif 000002
【図２】
0005044484.tif 000003
【図３】
0005044484.tif 000004
【図４】
0005044484.tif 000005
【図５】
0005044484.tif 000006